(57)【要約】【課題】アンテナ本体をインストルメントパネルに対して容易に着脱できるようにする。【解決手段】第１のブラケット３０に爪部３２を形成すると共に、第２のブラケット２５に穴部２７を形成した。アンテナ本体２１を第２のブラケット２５に取付けてアンテナＡＳＳＹ３８を構成し、第１のブラケット３０をインストルメントパネル３９に取付けた後に、第１のブラケット３０の爪部３２を第２のブラケット２５の穴部２７に引掛けさせることにより、ドライバーなどの工具を使用することなく、アンテナ本体２１をインストルメントパネル３９に取付けることができる。【選択図】  図１
2004276770.tif 000002
【特許請求の範囲】
【請求項１】
車両のインストルメントパネルに対して着脱可能に構成され、第１の嵌合部が形成されている第１のブラケットと、
アンテナ本体を着脱可能に構成され、第２の嵌合部が形成されている第２のブラケットとを備え、
前記第１の嵌合部と前記第２の嵌合部とが嵌合されることにより、前記第２のブラケットが前記第１のブラケットに装着され、前記第１の嵌合部と前記第２の嵌合部との嵌合が解除されることにより、前記第２のブラケットが前記第１のブラケットから離脱されるように構成したことを特徴とする車両アンテナの着脱構造。
【請求項２】
請求項１に記載した車両アンテナの着脱構造において、
前記第１の嵌合部および前記第２の嵌合部のうち一方が爪部により構成され、前記第１の嵌合部および前記第２の嵌合部のうち他方が穴部により構成されていることを特徴とする車両アンテナの着脱構造。
【請求項３】
請求項１または２に記載した車両アンテナの着脱構造において、
前記第１のブラケットにアーム部が形成され、前記第２のブラケットに耳部が形成され、前記第２のブラケットが前記第１のブラケットに沿うようにスライドされて前記第１の嵌合部と前記第２の嵌合部とが嵌合されたときに、前記アーム部が前記耳部に押圧されて撓むように構成したことを特徴とする車両アンテナの着脱構造。
【請求項４】
請求項１ないし３のいずれかに記載した車両アンテナの着脱構において、
前記第１のブラケットに突起部が形成され、前記第２のブラケットが前記第１のブラケットに沿うようにスライドされて前記第１の嵌合部と前記第２の嵌合部とが嵌合されたときに、前記第１のブラケットの前記突起部が形成されている部分の周辺が前記第２のブラケットの一部に押圧されて撓むように構成したことを特徴とする車両アンテナの着脱構造。
【請求項５】
請求項１ないし４のいずれかに記載した車両アンテナの着脱構造において、
前記第２のブラケットに人が把持可能な折曲部が形成されていることを特徴とする車両アンテナの着脱構造。
【請求項６】
請求項５に記載した車両アンテナの着脱構造において、
前記アンテナ本体が複数のアンテナ素子を備えると共に前記アンテナ本体から前記複数のアンテナ素子に対応する複数のケーブルが引出され、前記折曲部が前記複数のケーブルの間に位置して形成されていることを特徴とする車両アンテナの着脱構造。
【発明の詳細な説明】
【０００１】
【発明の属する技術分野】
本発明は、アンテナ本体が車両のインストルメントパネルに対して着脱される車両アンテナの着脱構造に関する。
【０００２】
【従来の技術】
アンテナＡＳＳＹを車両のインストルメントパネルに取付ける従来の構成として、図４に示すものがある。このものでは、最初に、アンテナ本体１をブラケット２に取付けて（装着して）アンテナＡＳＳＹ３を構成する。次いで、ブラケット２に形成されているネジ止め部４をインストルメントパネル５に形成されている取付ボス６に位置合わせしてナット７によりネジ止めし、アンテナＡＳＳＹ３をインストルメントパネル５に取付ける。
【０００３】
ところが、このようにしてアンテナＡＳＳＹ３をインストルメントパネル５に取付ける取付方法では、例えば交換や性能チェックなどによりアンテナ本体１をインストルメントパネル５から取外す（離脱する）場合には、最初に、ボデーからインストルメントパネル５を取外し、次いで、インストルメントパネル５からアンテナ本体１を取外す必要があり、作業工数が増大するという問題があった。
【０００４】
そこで、このような問題を解決すべく、図５に示すように、インストルメントパネル（図５では図示せず）に取付可能な第１のブラケット１１とアンテナ本体（図５では図示せず）を取付可能な第２のブラケット１２との２つのブラケットを用意し、ブラケットを二重にする構造がある。
【０００５】
このものでは、最初に、アンテナ本体を第２のブラケット１２に取付けてアンテナＡＳＳＹを構成する。次いで、第１のブラケット１１に形成されている第１のネジ止め部１３ａ，１３ｂをインストルメントパネルに形成されている取付ボスに位置合わせしてナットによりネジ止めし、第１のブラケット１１をインストルメントパネルに取付ける。次いで、第２のブラケット１２に形成されているネジ止め部１４を第１のブラケット１１に形成されている第２のネジ止め部１５に位置合わせしてネジ１６によりネジ止めし、アンテナＡＳＳＹを第１のブラケット１１に取付けてインストルメントパネルに取付ける。
【０００６】
このようにしてアンテナＡＳＳＹをインストルメントパネルに取付ける取付方法では、アンテナ本体をインストルメントパネルから取外す場合には、ネジ１６によるネジ止めを解除し、第２のブラケット１２を第１のブラケット１１から取外すことにより、ボデーからインストルメントパネルを取外すことなく、アンテナ本体をインストルメントパネルから取外すことが可能となる。
【０００７】
【発明が解決しようとする課題】
しかしながら、このようにブラケットを二重にしてアンテナＡＳＳＹをボデーに取付ける取付方法では、第２のブラケット１２を第１のブラケット１１に取付けるためのネジ１６が必要となり、部品点数が増大するという問題がある。また、アンテナ本体がインストルメントパネルの奥の方に取付けられると共に、インストルメントパネルの内部には多数の他の部品が取付けられていて作業スペースの制約があるという事情から、ドライバーの先端部をネジ１６のネジ穴に嵌込む作業やドライバーを回転させる作業が難しいという問題がある。また、ネジ１６をインストルメントパネル内に落としてしまう虞があり、仮にネジ１６をインストルメントパネル内に落としてしまうと、ネジ１６を回収するのが難しいという問題もある。
【０００８】
本発明は、上記した事情に鑑みてなされたものであり、その目的は、部品点数が増大することなく、しかも、ドライバーなどの工具を使用することなく、アンテナ本体をインストルメントパネルに対して容易に着脱することができ、作業性を高めることができる車両アンテナの着脱構造を提供することにある。
【０００９】
【課題を解決するための手段】
請求項１に記載した車両アンテナの着脱構造によれば、第１のブラケットに形成されている第１の嵌合部と第２のブラケットに形成されている第２の嵌合部とが嵌合されることにより、第２のブラケットが第１のブラケットに装着されるように構成したので、アンテナ本体を第２のブラケットに取付けてアンテナＡＳＳＹを構成し、第１のブラケットをインストルメントパネルに取付けた後に、第１のブラケットに形成されている第１の嵌合部と第２のブラケットに形成されている第２の嵌合部とを嵌合させることにより、部品点数が増大することなく、しかも、ドライバーなどの工具を使用することなく、アンテナ本体をインストルメントパネルに取付けることができ、作業性を高めることができる。
【００１０】
また、第１のブラケットに形成されている第１の嵌合部と第２のブラケットに形成されている第２の嵌合部との嵌合が解除されることにより、第２のブラケットが第１のブラケットから離脱されるように構成したので、第１のブラケットに形成されている第１の嵌合部と第２のブラケットに形成されている第２の嵌合部との嵌合を解除させることにより、ドライバーなどの工具を使用することなく、アンテナ本体をインストルメントパネルから取外すことができ、作業性を高めることができる。
【００１１】
請求項２に記載した車両アンテナの着脱構造によれば、第１の嵌合部および第２の嵌合部のうち一方を爪部により構成し、第１の嵌合部および第２の嵌合部のうち他方を穴部により構成したので、爪部を穴部に引掛けさせることにより、アンテナ本体をインストルメントパネルに容易に取付けることができ、また、爪部を穴部から引抜かせることにより、アンテナ本体をインストルメントパネルから容易に取外すことができる。
【００１２】
請求項３に記載した車両アンテナの着脱構造によれば、第１のブラケットにアーム部が形成され、第２のブラケットに耳部が形成され、第２のブラケットが第１のブラケットに沿うようにスライドされて第１の嵌合部と第２の嵌合部とが嵌合されたときに、アーム部が耳部に押圧されて撓むように構成したので、第２のブラケットを第１のブラケットに沿うようにスライドさせて第１の嵌合部と第２の嵌合部とを嵌合させたときに、アーム部が耳部に押圧されて撓むことにより、第１のブラケットと第２のブラケットとの間でガタが発生してしまうことを未然に防止することができる。
【００１３】
請求項４に記載した車両アンテナの着脱構造によれば、第１のブラケットに突起部が形成され、第２のブラケットが第１のブラケットに沿うようにスライドされて第１の嵌合部と第２の嵌合部とが嵌合されたときに、第１のブラケットの突起部が形成されている部分の周辺が第２のブラケットの一部に押圧されて撓むように構成したので、この場合にも、第２のブラケットを第１のブラケットに沿うようにスライドさせて第１の嵌合部と第２の嵌合部とを嵌合させたときに、第１のブラケットの突起部が形成されている部分の周辺が第２のブラケットの一部に押圧されて撓むことにより、第１のブラケットと第２のブラケットとの間でガタが発生してしまうことを未然に防止することができる。
【００１４】
請求項５に記載した車両アンテナの着脱構造によれば、第２のブラケットに人が把持可能な折曲部を形成したので、折曲部を把持することにより、第２のブラケットを容易にスライドさせることができ、アンテナ本体をインストルメントパネルに取付けるときの作業性およびアンテナ本体をインストルメントパネルから取外すときの作業性をより高めることができる。
【００１５】
請求項６に記載した車両アンテナの着脱構造によれば、アンテナ本体が複数のアンテナ素子を備えると共にアンテナ本体から複数のアンテナ素子に対応する複数のケーブルが引出されている場合に、折曲部を複数のケーブルの間に位置して形成したので、複数のケーブルが引出されている構成であっても、それら複数のケーブルが邪魔になることなく、第２のブラケットを容易にスライドさせることができ、アンテナ本体をインストルメントパネルに取付けるときの作業性およびアンテナ本体をインストルメントパネルから取外すときの作業性をより高めることができる。
【００１６】
【発明の実施の形態】
以下、本発明の一実施例について、図１ないし図３を参照して説明する。まず、図３は、アンテナ本体、第１のブラケットおよび第２のブラケットの外観斜視図を示している。アンテナ本体２１は、全体として略矩形をなす筐体２２の内部に、ＥＴＣ用のアンテナ素子、ＧＰＳ用のアンテナ素子およびＶＩＣＳ用のアンテナ素子を備えると共に、筐体２２からＥＴＣ用のアンテナ素子用のケーブル２３とＧＰＳ用のアンテナ素子およびＶＩＣＳ用のアンテナ素子用のケーブル２４との２本のケーブル２３，２４が引出されて構成されている。筐体２２の下面には、アンテナ本体２１を第２のブラケット２５に位置決めして取付けるための複数の取付爪部（図示せず）が所定位置に形成されている。
【００１７】
第２のブラケット２５は、上記した各アンテナ素子のグランドとして作用する金属板により構成され、アンテナ本体２１の下面に形成されている複数の取付爪部に対応して複数（図１では６個）の取付穴部２６ａ〜２６ｆが所定位置に形成されて構成されている。第２のブラケット２５には、穴部２７（本発明でいう第２の嵌合部）が所定位置に形成されていると共に、２個の耳部２８ａ，２８ｂが所定位置に形成されている。また、第２のブラケット２５には、人が把持可能な折曲部２９が所定位置に形成されている。
【００１８】
第１のブラケット３０は、樹脂により構成され、第２のブラケット２５が矢印Ａ１，Ａ２方向に沿ってスライド可能な形状に構成されている。第１のブラケット３０には、第２のブラケット２５のスライド方向に延びるように細長状の撓み部３１が形成されており、撓み部３１には、爪部３２（本発明でいう第１の嵌合部）が所定位置に形成されている。この場合、撓み部３１は、その先端部３１ａに上から圧力を加えることにより、矢印Ｂ１方向に撓むと共に、圧力を解除することにより、矢印Ｂ２方向に復帰するように構成されている。
【００１９】
また、第１のブラケット３０には、２本のアーム部３３ａ，３３ｂが所定位置に形成されていると共に、橋部３４が形成されていることにより、第２のブラケット２５の一端側２５ａが挿入可能な挿入部３５が形成されており、橋部３４には、突起部３６が所定位置に形成されている。この場合、図３（ｂ）に示すように、第２のブラケット２５が第１のブラケット３０に沿うようにスライドされ、第１のブラケット３０の爪部３２が第２のブラケット２５の穴部２７に正常に引掛かったときには、第１のブラケット３０のアーム部３３ａ，３３ｂが第２のブラケット２５の耳部２８ａ，２８ｂに押圧されて撓むと共に、第１のブラケット３０の橋部３４の突起部３６の周辺が第２のブラケット２５の一端側２５ａに押圧されて撓むようになっている。さらに、第１のブラケット３０には、２個のネジ止め部３７ａ，３７ｂが所定位置に形成されている。
【００２０】
以下、アンテナＡＳＳＹをインストルメントパネルに取付ける手順について、図１および図２を参照して説明する。
まず、図１（ａ）に示すように、アンテナ本体２１の取付爪部を第２のブラケット２５の取付穴部２６ａ〜２６ｆに引掛けさせ、アンテナ本体２１を第２のブラケット２５に取付けてアンテナＡＳＳＹ３８を構成する。次いで、第２のブラケット２５の折曲部２９を把持し、第２のブラケット２５を第１のブラケット３０に沿うように矢印Ａ１方向にスライドさせ、図１（ｂ）に示すように、第１のブラケット３０の爪部３２を第２のブラケット２５の穴部２７に引掛けさせる。このとき、第１のブラケット３０のアーム部３３ａ，３３ｂが第２のブラケット２５の耳部２８ａ，２８ｂに押圧されて撓むと共に、第１のブラケット３０の橋部３４の突起部３６の周辺が第２のブラケット２５の一端側２５ａに押圧されて撓む。
【００２１】
次いで、図２に示すように、第１のブラケット３０のネジ止め部３７ａ，３７ｂをインストルメントパネル３９に形成されている取付ボス４０に位置合わせしてナット４１によりネジ止めし、アンテナＡＳＳＹ３８が取付けられた第１のブラケット３０をインストルメントパネル３９に取付ける。これにより、アンテナＡＳＳＹ３８をインストルメントパネル３９に取付けることができる。
【００２２】
尚、この場合、インストルメントパネル３９の裏側を上にして作業を行うことにより、アンテナＡＳＳＹ３８が取付けられた第１のブラケット３０をインストルメントパネル３９に容易に取付けることができる。また、このようにしてアンテナＡＳＳＹ３８がインストルメントパネル３９に取付けられた後に、アンテナＡＳＳＹ３８がボデーに取付けられた状態では、アンテナ本体１に内蔵されているＥＴＣ用のアンテナ素子は、そのアンテナ面が水平面に対して所定角度（例えば約２３度）だけ傾斜して配置されるようになっており、アンテナ本体に内蔵されているＧＰＳ用のアンテナ素子およびＶＩＣＳ用のアンテナ素子は、それらのアンテナ面が水平面に対して平行に配置されるようになっている。
【００２３】
また、この場合、爪部３２の図３中右側の面が傾斜しているので、第２のブラケット２５を第１のブラケット３０に沿うように矢印Ａ１方向にスライドさせるときに、第１のブラケット３０の撓み部３１の先端部３１ａに上から圧力を加えて撓み部３１を矢印Ｂ１方向に撓ませる必要なく、第１のブラケット３０の爪部３２を第２のブラケット２５の穴部２７に容易に引掛けることができる。
【００２４】
次に、アンテナＡＳＳＹ３８をインストルメントパネル３９から取外す手順を説明する。最初に、インストルメントパネル３９からディスプレイ（図示せず）を取外す。次いで、第１のブラケット３０の撓み部３１の先端部３１ａに上から圧力を加えて撓み部３１を矢印Ｂ１方向に撓ませ、第１のブラケット３０の爪部３２を第２のブラケット２５の穴部２７から引抜かせ、第２のブラケット２５の折曲部２９を把持し、第２のブラケット２５を第１のブラケット３０に沿うように矢印Ａ２方向にスライドさせ、アンテナＡＳＳＹ３８をインストルメントパネル３９から取外す。これにより、アンテナＡＳＳＹ３８をインストルメントパネル３９から取外すことができる。
【００２５】
以上に説明したように本実施例によれば、第１のブラケット３０に爪部３２を形成すると共に、第２のブラケット２５に穴部２７を形成し、第１のブラケット３０の爪部３２が第２のブラケット２５の穴部２７に引掛けられることにより、第２のブラケット２５が第１のブラケット３０に取付けられるように構成したので、アンテナ本体２１を第２のブラケット２５に取付けてアンテナＡＳＳＹ３８を構成し、第１のブラケット３０をインストルメントパネル３９に取付けた後に、第１のブラケット３０の爪部３２を第２のブラケット２５の穴部２７に引掛けさせることにより、部品点数が増大することなく、しかも、ドライバーなどの工具を使用することなく、アンテナ本体２１をインストルメントパネル３９に容易に取付けることができ、作業性を高めることができる。
【００２６】
また、第１のブラケット３０の爪部３２が第２のブラケット２５の穴部２７から引抜かれることにより、第２のブラケット２５が第１のブラケット３０から取外されるように構成したので、第１のブラケット３０の爪部３２を第２のブラケット２５の穴部２７から引抜かせることにより、ドライバーなどの工具を使用することなく、アンテナ本体２１をインストルメントパネル３９から容易に取外すことができ、作業性を高めることができる。
【００２７】
また、この場合、第１のブラケット３０の爪部３２を第２のブラケット２５の穴部２７に引掛けさせたきに、第１のブラケット３０のアーム部３３ａ，３３ｂが第２のブラケット２５の耳部２８ａ，２８ｂに押圧されて撓むように構成すると共に、第１のブラケット３０の橋部３４の突起部３６の周辺が第２のブラケット２５の一端側２５ａに押圧されて撓むように構成したので、第１のブラケット３０と第２のブラケット２５との間でガタが発生してしまうことを未然に防止することができる。
【００２８】
また、この場合、第２のブラケット２５に人が把持可能な折曲部２９を形成したので、折曲部２９を把持することにより、第２のブラケット２５を容易にスライドさせることができ、アンテナ本体２１をインストルメントパネル３９に取付けるときの作業性およびアンテナ本体２１をインストルメントパネル３９から取外すときの作業性をより高めることができる。
【００２９】
さらに、この場合、折曲部２９をアンテナ本体２１から引出されている２本のケーブル２３，２４の間に位置して形成したので、それら２本のケーブル２３，２４が邪魔になることなく、第２のブラケット２５を容易にスライドさせることができ、アンテナ本体２１をインストルメントパネル３９に取付けるときの作業性およびアンテナ本体２１をインストルメントパネル３９から取外すときの作業性をより高めることができる。
【００３０】
本発明は、上記した実施例にのみ限定されるものではなく、以下のように変形または拡張することができる。
アンテナ本体は、複数のアンテナ素子を内蔵する統合（復合）アンテナのものに限らず、単一のアンテナ素子を内蔵するものであっても良い。
第１のブラケットに爪部が形成されると共に、第２のブラケットに穴部が形成される構成に限らず、第２のブラケットに爪部が形成されると共に、第１のブラケットに穴部が形成される構成であっても良い。
【図面の簡単な説明】
【図１】本発明の一実施例を概略的に示す図
【図２】アンテナＡＳＳＹがインストルメントパネルに取付けられた態様を示す側面図
【図３】アンテナ本体、第１のブラケットおよび第２のブラケットの外観斜視図
【図４】従来例を示す図
【図５】従来の他の例を示す図
【符号の説明】
図面中、２１はアンテナ本体、２３はＥＴＣ用のアンテナ素子用のケーブル（ケ−ブル）、２４はＧＰＳ用のアンテナ素子およびＶＩＣＳ用のアンテナ素子用のケーブル（ケーブル）、２５は第２のブラケット、２７は穴部（第２の嵌合部）、２８ａ，２８ｂは耳部、２９は折曲部、３０は第１のブラケット、３２は爪部（第１の嵌合部）、３３ａ，３３ｂはアーム部、３６は突起部、３８アンテナＡＳＳＹ、３９はインストルメントパネルである。
【図１】
2004276770.tif 000003
【図２】
2004276770.tif 000004
【図３】
2004276770.tif 000005
【図４】
2004276770.tif 000006
【図５】
2004276770.tif 000007